(57)【特許請求の範囲】
【請求項１】
印刷物に添付された記録媒体、精算用情報が記録された記録媒体にそれぞれ記録された、複写を認証したことを示す複写認証情報の比較結果に基づいて複写の可否を決定する複写装置における印刷物の複写を管理するシステムであって、
印刷物に添付された記録媒体である第１記録媒体に対して情報の読書きを行う第１記録媒体読書手段と、
料金の精算を行うための精算用情報が記録された記録媒体である第２記録媒体に対して情報の読書きを行う第２記録媒体読書手段と、
複写枚数を入力する枚数入力手段と、
単価と前記複写枚数により料金を算出する料金算出手段と、
前記第１記録媒体読書手段により複写の単価を読み取った際に当該単価を表示し、前記複写枚数が入力された際に前記算出された料金を表示する表示手段と、
前記第２記録媒体から精算用情報を読み取って前記複写料金の精算を行うとともに、複写を認証したことを示す複写認証情報を前記第１記録媒体読書手段、第２記録媒体読書手段に送信する精算処理手段と、
を有することを特徴とする複写管理システム。
【請求項２】
前記第２記録媒体は、会員ＩＤを記録しており、
前記精算処理手段は、前記第２記録媒体から読み取られた会員ＩＤを用いて会員認証を行い、正当に会員認証が行われた場合に限り、複写料金の精算および複写認証情報の送信を行うものであることを特徴とする請求項１に記載の複写管理システム。
【請求項３】
コンピュータを、請求項１または請求項２に記載の複写管理システムとして、機能させるためのプログラム。
【発明の詳細な説明】
【技術分野】
【０００１】
本発明は、書籍等の印刷物の複写を管理するための技術に関する。
【背景技術】
【０００２】
従来、図書館等において、書籍を複写する際には、料金の支払いが行われている。最近では、ＩＣタグと複写機を連動させて不正複写を防止する技術も提案されている（特許文献１参照）。
【特許文献１】特開２００５−３５２９５４号公報
【発明の開示】
【発明が解決しようとする課題】
【０００３】
しかしながら、上記特許文献１に記載の発明では、不正複写を十分に防止することはできなかった。
【０００４】
そこで、本発明は、印刷物を複写する正当な権利を持った者だけが複写をすることが可能な印刷物の複写管理システムを提供することを課題とする。
【課題を解決するための手段】
【０００５】
上記課題を解決するため、本発明第１の態様では、印刷物に添付された記録媒体、精算用情報が記録された記録媒体にそれぞれ記録された、複写を認証したことを示す複写認証情報の比較結果に基づいて複写の可否を決定する複写装置における印刷物の複写を管理するシステムであって、印刷物に添付された記録媒体である第１記録媒体に対して情報の読書きを行う第１記録媒体読書手段と、料金の精算を行うための精算用情報が記録された記録媒体である第２記録媒体に対して情報の読書きを行う第２記録媒体読書手段と、複写枚数を入力する枚数入力手段と、単価と前記複写枚数により料金を算出する料金算出手段と、前記第１記録媒体読書手段により複写の単価を読み取った際に当該単価を表示し、前記複写枚数が入力された際に前記算出された料金を表示する表示手段と、前記第２記録媒体から精算用情報を読み取って前記複写料金の精算を行うとともに、複写を認証したことを示す複写認証情報を前記第１記録媒体読書手段、第２記録媒体読書手段に送信する精算処理手段を有する複写管理システムを提供する。
【０００６】
また、本発明第２の態様では、本発明第１の態様において、前記第２記録媒体は、会員ＩＤを記録しており、前記精算処理手段は、前記第２記録媒体から読み取られた会員ＩＤを用いて会員認証を行い、正当に会員認証が行われた場合に限り、複写料金の精算および複写認証情報の送信を行うものであることを特徴とする。
【発明の効果】
【０００７】
本発明によれば、単価を記録したＩＣタグ等の第１記録媒体を印刷物に貼付しておき、金銭的価値を有する有価情報を記録したＩＣカード等の第２記録媒体で複写料金を精算した際に、前記第１記録媒体、第２記録媒体の双方に複写認証情報を記録するようにしたので、複写時に、双方の複写認証情報を比較し、一致する場合にのみ、複写を許可することにより、正当な複写権利を持たない者による複写を防止することが可能となる。また、複写精算処理が自動化されるため、受付や操作の人員が不要となる。
【発明を実施するための最良の形態】
【０００８】
以下、本発明の好適な実施形態について、図面を参照して詳細に説明する。
（１．１．複写管理システムの構成）
図１は、本発明に係る複写管理システムの一実施形態を示す構成図である。図１において、１００は複写管理システム、２００は第１記録媒体、３００は第２記録媒体、１０は第１記録媒体読書手段、２０は枚数入力手段、３０は料金算出手段、４０は表示手段、５０は精算処理手段、６０は第２記録媒体読書手段である。
【０００９】
複写管理システム１００は、第１記録媒体読書手段１０、枚数入力手段２０、料金算出手段３０、表示手段４０、精算処理手段５０、第２記録媒体読書手段６０を有している。第１記録媒体２００は、複写対象の印刷物に貼付された記録媒体であり、その印刷物のページ単位の複写単価を記録している。また、第１記録媒体２００は、複写料金の精算が正しく行われた場合に、第１記録媒体読書手段１０から送信された複写認証情報を記録する。複写認証情報とは、複写料金の精算が正しく行われたことを示す情報であり、所定の桁数のランダムな値で設定される。第１記録媒体２００としては、複写管理システム１００と情報の送受信が可能なものであれば、公知の様々なものを利用できるが、本実施形態では、ＩＣタグを採用している。この場合、第１記録媒体読書手段１０は、これに対応したＩＣタグリーダーライターが採用される。なお、ＩＣタグとは、非接触で情報を記録し、かつ読み取りできる非接触ＩＣタグであり、「非接触データキャリア」、「無線ＩＣタグ」、「非接触ＩＣ」、「非接触ＩＣラベル」などとも呼ばれる。
【００１０】
第２記録媒体３００は、精算用情報を記録した記録媒体である。本実施形態では、精算用情報として電子マネーの残高が記録されている。また、本実施形態では、会員証としての機能も果たすため、第２記録媒体３００には、会員ＩＤが記録されている。さらに、第２記録媒体３００は、複写料金の精算が正しく行われた場合に、第２記録媒体読書手段６０から送信された複写認証情報を記録する。第２記録媒体３００としては、複写管理システム１００と情報の送受信が可能なものであれば、公知の様々なものを利用できるが、本実施形態では、非接触方式のＩＣカードを採用している。この場合、第２記録媒体読書手段６０は、これに対応したＩＣカードリーダーライターが採用される。
【００１１】
図１において、第１記録媒体読書手段１０は、非接触方式でＩＣタグに記録された情報を読み取るとともに、精算処理手段５０から受け取った複写認証情報を第１記録媒体２００に記録する。本実施形態では、第１記録媒体読書手段１０は、ＩＣタグリーダーライターである。枚数入力手段２０は、複写する枚数を入力する。具体的には、入力キーを備え、利用者が指定した枚数を入力する。料金算出手段３０は、第１記録媒体読書手段１０が読み取った複写単価と、枚数入力手段２０により入力された複写枚数を用いて、複写料金を算出する。表示手段４０は、第１記録媒体読書手段１０が読み取った単価、および料金算出手段３０が算出した複写料金を表示する。精算処理手段５０は、第２記録媒体３００から精算用情報を読み取って複写料金の精算を行い、複写を認証したことを示す複写認証情報を第１記録媒体読書手段１０、第２記録媒体読書手段６０に送信する。複写料金の精算は、第２記録媒体読書手段６０が第２記録媒体３００から読み取った電子マネーの残高から複写料金分を減じる処理を行い、処理後の残高を、第２記録媒体読書手段６０が第２記録媒体３００に書き込むことにより行う。複写管理システム１００は、現実には、汎用のコンピュータに、ＩＣタグリーダーライター、ＩＣカードリーダーライターを接続するとともに、専用のプログラムを組み込むことにより実現される。
【００１２】
（１．２．複写管理システムの処理動作）
次に、図１に示した複写管理システムの処理動作を、図２のフローチャートに従って説明する。図２は、複写管理システムの処理概要を示すフローチャートである。ここでは、図書館内で、会員である利用者が、図書館が所蔵する書籍を複写する場合を例にとって説明する。利用者は、図書館で会員登録を行うと、会員ＩＤが記録された第２記録媒体３００を会員証として受け取る。さらに、所定の処理により、精算用情報である電子マネーをチャージする。これにより、第２記録媒体３００には、電子マネーの残高が記録される。
【００１３】
第２記録媒体３００に電子マネーをチャージした状態で、利用者は、目的とする書籍を複写管理システム１００の第１記録媒体読書手段１０に翳す作業を行う。書籍を第１記録媒体読書手段１０に翳すことにより、書籍に貼付された第１記録媒体２００が、第１記録媒体読書手段１０に接近し、第１記録媒体読書手段１０は、第１記録媒体２００に記録された複写単価を読み取る（Ｓ１０１）。
【００１４】
次に、表示手段４０が、第１記録媒体読書手段１０により読み取られた複写単価を表示する（Ｓ１０２）。利用者が、キーボードを利用して枚数を指定すると、枚数入力手段２０が指定された枚数を入力する（Ｓ１０３）。次に、料金算出手段３０が、第１記録媒体読書手段１０により読み取られた複写単価と、枚数入力手段２０により入力された枚数に基づいて、複写料金を算出する（Ｓ１０４）。具体的には、料金算出手段３０が、複写単価と枚数を乗算することにより、複写料金を算出する。
【００１５】
次に、表示手段４０が、料金算出手段３０により算出された複写料金を表示する（Ｓ１０５）。利用者は、複写料金を確認した後、第２記録媒体３００を第２記録媒体読書手段６０に翳す作業を行う。第２記録媒体３００が、第２記録媒体読書手段６０に接近すると、第２記録媒体読書手段６０は第２記録媒体３００から会員ＩＤを読み取り、精算処理手段５０は、会員認証を行う（Ｓ１０６）。会員認証は、複写管理システム１００内部に登録された会員ＩＤと比較照合することにより行う。第２記録媒体３００から読み取った会員ＩＤが登録されていない場合には、精算処理へは進まず、その第２記録媒体３００に対しては、複写を許可できない旨のメッセージを表示する。一方、第２記録媒体３００から読み取った会員ＩＤが登録されている場合には、精算処理手段５０は、精算処理および認証情報書込み処理を行う（Ｓ１０７）。具体的には、精算処理手段５０は、第２記録媒体３００に記録されている電子マネー残高を読み取って、料金算出手段３０により算出された複写料金を減算し、減算した値を電子マネー残高として、第２記録媒体読書手段６０を介して第２記録媒体３００に書き込む。さらに、精算処理手段５０は、複写認証情報を第１記録媒体読書手段１０、第２記録媒体読書手段６０を介して、それぞれ第１記録媒体２００、第２記録媒体３００に書き込む。
【００１６】
（２．１．複写装置の構成）
次に、複写装置について説明する。図３は、本発明で用いる複写装置の一例を示す構成図である。図３において、４００は複写装置、１１は第１記録媒体読書手段、６１は第２記録媒体読書手段、７０は認証情報比較手段、８０は複写実行手段である。第１記録媒体２００、第２記録媒体３００は、図１に示したものと同一である。
【００１７】
複写装置４００は、第１記録媒体読書手段１１、第２記録媒体読書手段６１、認証情報比較手段７０、複写実行手段８０を有している。第１記録媒体読書手段１１は、非接触方式で第１記録媒体２００に記録された情報の読み書きを行う。第２記録媒体読書手段６０は、非接触方式で第２記録媒体３００に記録された情報の読み書きを行う。認証情報比較手段７０は、第１記録媒体読書手段１１が第１記録媒体２００から読み取った複写認証情報と、第２記録媒体読書手段６１が第２記録媒体３００から読み取った複写認証情報の比較を行う。複写実行手段８０は、複写を実行するものであり、通常の複写機の複写機構で実現される。
【００１８】
（２．２．複写装置の処理動作）
次に、図３に示した複写装置の処理動作を、図４のフローチャートに従って説明する。図４は、複写装置の処理概要を示すフローチャートである。まず、利用者は、複写対象の書籍を複写装置４００の第１記録媒体読書手段１１に翳す作業を行う。書籍を第１記録媒体読書手段１１に翳すことにより、書籍に貼付された第１記録媒体２００が、第１記録媒体読書手段１１に接近し、第１記録媒体読書手段１１は、第１記録媒体２００に記録された複写認証情報を読み取る（Ｓ２０１）。続いて、利用者は、第２記録媒体３００を第２記録媒体読書手段６１に翳す作業を行う。第２記録媒体３００が、第２記録媒体読書手段６１に接近すると、第２記録媒体読書手段６１は、第２記録媒体３００に記録された複写認証情報を読み取る（Ｓ２０２）。
【００１９】
次に、認証情報比較手段７０が、第１記録媒体読書手段１１により読み取られた複写認証情報と、第２記録媒体読書手段６１により読み取られた複写認証情報の比較処理を行う（Ｓ２０３）。認証情報比較手段７０の比較の結果、両者が一致しない場合には、処理を終了する。これは、複写管理システムによる処理が正しく行われていないことを意味するためである。認証情報比較手段７０の比較の結果、両者が一致する場合は、第２記録媒体読書手段６１が第２記録媒体３００から複写許可枚数を読み込む（Ｓ２０４）。次に、認証情報比較手段７０が、複写許可枚数が０より大きいかどうかを判定する。複写許可枚数が０より大きい場合には、複写処理の実行が可能な状態となる。この状態で、複写を実行するボタンが利用者により押されると、複写実行手段８０が、１枚分の複写処理を実行する（Ｓ２０５）。続いて、第２記録媒体読書手段６１が第２記録媒体３００内の複写許可枚数を１だけ減じた値に更新する処理を行う（Ｓ２０６）。
【００２０】
複写許可枚数の更新処理が行われたら、Ｓ２０４に戻って、第２記録媒体読書手段６１が第２記録媒体３００から複写許可枚数を読み込む。以降、複写許可枚数が０になるまで、利用者の複写実行操作により複写処理が行われ、Ｓ２０４〜Ｓ２０６の処理が繰り返される。
【００２１】
Ｓ２０４において、第２記録媒体読書手段６１が第２記録媒体３００から複写許可枚数を読み込んだ際、複写許可枚数が０であった場合、第１記録媒体読書手段１１が、第１記録媒体２００から認証情報を消去する（Ｓ２０７）。さらに、第２記録媒体読書手段６１が、第２記録媒体３００から認証情報を消去する（Ｓ２０８）。第２記録媒体３００から認証情報が消去されるため、以降は、再び複写管理システムにより複写料金の精算を行わなければ、複写を行うことができなくなる。
【００２２】
以上、本発明の好適な実施形態について説明したが、本発明は上記実施形態に限定されず、種々の変形が可能である。例えば、上記実施形態では、第２記録媒体３００に会員ＩＤを記録しておき、会員でなければ複写料金の精算ができないようにしたが、会員認証を行わず、電子マネーの残高さえあれば、複写料金の精算をするようにしても良い。
【図面の簡単な説明】
【００２３】
【図１】本発明に係る複写管理システムの一実施形態を示す構成図である。
【図２】複写管理システムの処理概要を示すフローチャートである。
【図３】本発明で用いる複写装置の一例を示す構成図である。
【図４】複写装置の処理概要を示すフローチャートである。
【符号の説明】
【００２４】
１０、１１・・・第１記録媒体読書手段
２０・・・枚数入力手段
３０・・・料金算出手段
４０・・・表示手段
５０・・・精算処理手段
６０、６１・・・第２記録媒体読書手段
７０・・・認証情報比較手段
８０・・・複写実行手段
１００・・・複写管理システム
２００・・・第１記録媒体
３００・・・第２記録媒体
４００・・・複写装置
【図１】
0005092661.tif 000002
【図２】
0005092661.tif 000003
【図３】
0005092661.tif 000004
【図４】
0005092661.tif 000005